(57)【要約】【課題】就寝時などの夜間における住宅の住み心地を改善し、また、廊下の意匠性を損なうおそれがない照明の手段を提供する。【解決手段】照明付きドア構造１は、住宅内の廊下２と部屋３とを仕切る壁４の開口部５に設けられるドア枠１０と、ドア枠１０に支持されたドア４０と、ドア枠１０に配置される照明器具５０とを有する。ドア枠は、第１縦枠部材２０と第２縦枠部材３０とを有する。照明器具５０は第１縦枠部材２０と第２縦枠部材３０との間に位置し、ドア４０に対して廊下２の方に位置する前方部位６１と、部屋３の方に位置する後方部位６４とを有する。前方部位６１における開口部５の通行方向９に平行な右側面６２、及び後方部位６４における通行方向９に平行な右側面６５は、第１縦枠部材２０における通行方向９に平行な右側面２１、及び第２縦枠部材３０における通行方向９に平行な右側面３１と面一である【選択図】図３
2019100034.tif 000002
【特許請求の範囲】
【請求項１】
住宅内の廊下と部屋とを仕切る壁の開口部に設けられるドア枠と、上記ドア枠に支持されたドアと、上記ドア枠に配置される照明器具とを有する照明付きドア構造であって、
上記ドア枠は、水平断面が矩形である第１縦枠部材と、上記第１縦枠部材の下方に位置し水平断面が上記第１縦枠部材の水平断面と同じ形状である第２縦枠部材とを有し、
上記照明器具は上記第１縦枠部材と上記第２縦枠部材との間に位置し、
上記照明器具は、上記開口部を閉じた状態の上記ドアに対して上記廊下の方に位置する第１照射部位と、上記開口部を閉じた状態の上記ドアに対して上記部屋の方に位置する第２照射部位とを有し、
上記第１照射部位における上記開口部の通行方向に平行な第１面、及び上記第２照射部位における上記通行方向に平行な第２面は、上記第１縦枠部材における上記通行方向に平行な第３面、及び上記第２縦枠部材における上記通行方向に平行な第４面と面一である、
照明付きドア構造。
【請求項２】
上記第１照射部位及び上記第２照射部位が、上記開口部を閉じた状態の上記ドアの取っ手の近傍に位置する請求項１に記載の照明付きドア構造。
【請求項３】
上記第１照射部位と上記第２照射部位とが、上記通行方向に沿って並んで配置される請求項１又は２に記載の照明付きドア構造。
【請求項４】
上記第１照射部位は、上記通行方向と交差する第５面を有し、
上記第５面の上端と、上記第１縦枠部材における上記通行方向と交差する第６面の下端とは連続した面であり、
上記第５面の下端と、上記第２縦枠部材における上記通行方向と交差する第７面の上端とは連続した面であり、
上記第２照射部位は、上記通行方向と交差する第８面を有し、
上記第８面の上端と、上記第１縦枠部材における上記通行方向と交差する第９面の下端とは連続した面であり、
上記第８面の下端と、上記第２縦枠部材における上記通行方向と交差する第１０面の上端とは連続した面である、
請求項１から３のいずれかに記載の照明付きドア構造。
【請求項５】
上記照明器具は、一つの光源を有し、上記光源が発する光が上記第１照射部位及び上記第２照射部位から照射される請求項１から４のいずれかに記載の照明付きドア構造。
【請求項６】
上記照明器具は、光を透過する樹脂製であって上記光源と上記ドアとの間に位置する透光部材を有し、上記第１照射部位の上記第１面及び上記第２照射部位の上記第２面は上記透光部材における上記通行方向に平行な面である請求項５に記載の照明付きドア構造。
【請求項７】
上記開口部を閉じた状態の上記ドアと接触する戸当り部材を有し、
上記戸当り部材は、上記第１縦枠部材の表面と、上記透光部材の表面と、上記第２縦枠部材の表面とに接して配置される請求項６に記載の照明付きドア構造。
【請求項８】
上記光源は有機ＥＬパネルであり、上記有機ＥＬパネルの発光面が上記通行方向と平行である請求項５から７のいずれかに記載の照明付きドア構造。
【発明の詳細な説明】
【技術分野】
【０００１】
本発明は、ドア枠とドアと照明器具とを有する照明付きドア構造に関する。
【背景技術】
【０００２】
住宅等の建物の内部には、照明が配置される。ここで照明の明るさについては、ＪＩＳ等の規格が定められている。例えばＪＩＳ照明基準では、作業内容や空間の用途に応じた推奨照度が定められている。このＪＩＳ照明基準において住宅の推奨照度は、例えば台所調理台が３００ｌｘに、書斎や玄関が１００ｌｘに、トイレが７５ｌｘに、居間全般・廊下が５０ｌｘに、寝室全般が２０ｌｘに、それぞれ定められている。住宅の照明の設計に際しては、このような規格等が参照され、照明の配置や明るさが決定される。
【先行技術文献】
【特許文献】
【０００３】
【特許文献１】特開２００２−３７３５０６号公報
【発明の概要】
【発明が解決しようとする課題】
【０００４】
発明者らは、生活環境を重視した新たなコンセプトの照明を創出すべく鋭意検討を重ね、従来の照明設計における以下の問題点に気付いた。従来の照明設計では、例えば寝室の照度は寝室の推奨照度（例えば２０ｌｘ）に、廊下の照度は廊下の推奨照度（例えば５０ｌｘ）に、トイレの推奨照度はトイレの推奨照度（７５ｌｘ）に、それぞれ合わせて決定される。各照明器具は、一般に天井から下向きに明かりを照射し、それぞれの領域（部屋、廊下等）に進入する際に点灯され、退出する際に消灯される。
【０００５】
そうすると住宅の住人は、住宅内での移動に伴って、各々の照明の照度に応じて、大きな明るさの変化に晒されることになる。そのような明るさの変化は、時として住宅の住み心地を悪くする可能性がある。例えば、寝室で就寝中、尿意により目覚めた住人は、寝室から廊下を通ってトイレへ移動し、トイレで用を足した後、トイレから廊下を通って寝室に戻る。この間に住人は、寝室にて２０ｌｘ、廊下にて５０ｌｘ、トイレにて７５ｌｘの環境下に置かれて、明るさの変化に晒される。寝室に戻った住人は、速やかに再び眠りたいが、各箇所の明るさや、明るさの変化に晒されることによって、就寝中の住人がすっかり覚醒して、速やかに再び眠ることが難しくなるおそれがある。
【０００６】
夜間に廊下等での移動を補助するために、天井に備えられた照明器具以外に用いられる照明器具として、従来よりナイトライトやフットライトと称する照明器具が提供されている（例えば特許文献１参照）。ナイトライトは、廊下などに面した壁の下部に配置されて、足下を照らす。このようなナイトライトが設置されていれば、廊下の天井に備えられた照明器具を点灯することなく廊下を移動することができる。しかし、ナイトライトなどが用いられていても、寝室やトイレにおいて各天井に備えられた照明器具が点灯されると、廊下と寝室との間の明るさの差や、廊下とトイレとの間の明るさの差は、廊下の天井に備えられた照明器具が点灯されたときの明るさの差より大きくなる。その結果、住人が大きな明るさの変化に晒される問題点は解消されない。また、ナイトライトなどは、壁面のコンセントに差し込まれて設置されたり、壁面から突出した状態で設置されることが多いため、住宅の廊下の壁に照明による凹凸が生じて、廊下の意匠性を低下させる問題がある。
【０００７】
本発明は、前述された事情に鑑みてなされたものであり、その目的は、就寝時などの夜間における住宅の住み心地を改善し、また、廊下の意匠性を損なうおそれがない照明の手段を提供することにある。
【課題を解決するための手段】
【０００８】
(1)  本発明に係る照明付きドア構造は、住宅内の廊下と部屋とを仕切る壁の開口部に設けられるドア枠と、上記ドア枠に支持されたドアと、上記ドア枠に配置される照明器具とを有する。上記ドア枠は、水平断面が矩形である第１縦枠部材と、上記第１縦枠部材の下方に位置し水平断面が上記第１縦枠部材の水平断面と同じ形状である第２縦枠部材とを有する。上記照明器具は上記第１縦枠部材と上記第２縦枠部材との間に位置する。上記照明器具は、上記開口部を閉じた状態の上記ドアに対して上記廊下の方に位置する第１照射部位と、上記開口部を閉じた状態の上記ドアに対して上記部屋の方に位置する第２照射部位とを有する。上記第１照射部位における上記開口部の通行方向に平行な第１面、及び上記第２照射部位における上記通行方向に平行な第２面は、上記第１縦枠部材における上記通行方向に平行な第３面、及び上記第２縦枠部材における上記通行方向に平行な第４面と面一である。
【０００９】
照明器具の第１照射部位と第２照射部位とが、ドアに対して廊下の方と部屋の方とに位置するので、ドアの両側を同じ照明器具で照らすことになる。従って、廊下と部屋（例えば寝室やトイレ）との間の明るさの差を小さくすることができるので、生活環境を改善することができる。またドアを開いた状態では、第１照射部位と第２照射部位の両方が視認されることになるから、住人の開口部の通過を効果的に補助することができる。
【００１０】
また第１照射部位の第１面と第２照射部位の第２面が、第１縦枠部材の第３面及び第２縦枠部材の第４面と面一であることによって、第１縦枠部材から第１照射部位及び第２照射部位、及び第２縦枠部材に渡って一繋がりの面となり、開口部の通行を阻害する突起等を有さない利便性及び意匠性の高い形態を実現することができる。
【００１１】
(2)  好ましくは上記第１照射部位及び上記第２照射部位が、上記開口部を閉じた状態の上記ドアの取っ手の近傍に位置するとよい。
【００１２】
ドアの取っ手が第１照射部位及び第２照射部位によって照らされるので、ドアの両側において開閉が容易になる。またナイトライト等と異なり、ドアの取っ手の近傍という適切な高さに位置することで、第１照射部位及び第２照射部位がドアの両側での移動及び動作（例えば、トイレでの用便や、寝室での寝起き等）の両方を適切に補助することができる。加えて、第１照射部位及び第２照射部位が人の目の高さから離れているため、従来の天井照明に比べて眩しさを低減することができる。
【００１３】
(3)  好ましくは、上記第１照射部位と上記第２照射部位とが、上記通行方向に沿って並んで配置されるとよい。
【００１４】
この配置により、人の目と第１照射部位及び第２照射部位との間の距離がほぼ同じになり、明るさの変化が更に抑制される。また第１照射部位及び第２照射部位が並んで配置されて、ドアが開いた状態での開口部の通過を補助する効果が更に大きくなる。
【００１５】
(4)  好ましくは上記第１照射部位は、上記通行方向と交差する第５面を有し、上記第５面の上端と、上記第１縦枠部材における上記通行方向と交差する第６面の下端とは連続した面であり、上記第５面の下端と、上記第２縦枠部材における上記通行方向と交差する第７面の上端とは連続した面であるとよい。上記第２照射部位は、上記通行方向と交差する第８面を有し、上記第８面の上端と、上記第１縦枠部材における上記通行方向と交差する第９面の下端とは連続した面であり、上記第８面の下端と、上記第２縦枠部材における上記通行方向と交差する第１０面の上端とは連続した面であるとよい。
【００１６】
上記の構成によれば、通行方向と交差する面においても、第１縦枠部材から第１照射部位及び第２照射部位、及び第２縦枠部材に渡って一繋がりの面となるので、照明付きドア構造の意匠性を更に高めることができる。
【００１７】
(5)  好ましくは上記照明器具は、一つの光源を有し、上記光源が発する光が上記第１照射部位及び上記第２照射部位から照射されるとよい。
【００１８】
上記の構成によれば、第１照射部位と第２照射部位からの光を同じ強さにすることが容易になり、明るさの変化が更に抑制される。また照明器具を簡易な構成で実現できる。
【００１９】
(6)  好ましくは上記照明器具は、光を透過する樹脂製であって上記光源と上記ドアとの間に位置する透光部材を有するとよい。上記第１照射部位の上記第１面及び上記第２照射部位の上記第２面は上記透光部材における上記通行方向に平行な面である。
【００２０】
上記の構成によれば、第１照射部位と第２照射部位からの光を同じ強さにすることが更に容易になり、明るさの変化が更に抑制される。また照明器具を更に簡易な構成で実現できる。
【００２１】
(7)  好ましくは照明付きドア構造は、上記開口部を閉じた状態の上記ドアと接触する戸当り部材を有するとよい。上記戸当り部材は、上記第１縦枠部材の表面と、上記透光部材の表面と、上記第２縦枠部材の表面とに接して配置される。
【００２２】
戸当り部材により照明器具とドアとの直接の接触が抑制されるので、照明器具の破損の可能性を低減することができる。
【００２３】
(8)  好ましくは上記光源は有機ＥＬパネルであり、上記有機ＥＬパネルの発光面が上記通行方向と平行であるとよい。
【００２４】
上記の構成によれば、通行方向と直交する方向へ光源から放たれる光は、通行方向へ放たれる光に比べて強くなる。これにより照明器具が、周囲（例えば廊下、寝室、トイレなど）に比べてドアを強く照らす局所的な照明とすることができる。従って照明器具により、周囲の明るさ増加を抑制しつつ、開口部の通行を効果的に補助することができる。
【発明の効果】
【００２５】
本発明に係る照明付きドア構造によれば、就寝時などの夜間における住宅の住み心地を改善し、また、廊下の意匠性を損なうおそれがない照明の手段を提供することができる。
【図面の簡単な説明】
【００２６】
【図１】図１は、照明付きドア構造の正面図である。
【図２】図２は、照明付きドア構造のＡ−Ａ縦断面図である。
【図３】図３は、照明器具、第１縦枠部材、及び第２縦枠部材の斜視図である。
【図４】図４は、照明付きドア構造の分解図である。
【図５】図５は、変形例１に係る照明付きドア構造の正面図である。
【図６】図６は、変形例１に係る照明付きドア構造のＢ−Ｂ縦断面図である。
【図７】図７は、照明付きドア構造が適用された住宅の間取り図である。
【発明を実施するための形態】
【００２７】
以下、本発明の実施形態について説明する。なお、以下に説明される実施形態は本発明の一例にすぎず、本発明の要旨を変更しない範囲で、本発明の実施形態を適宜変更できることは言うまでもない。また、照明付きドア構造１が壁４の開口部５に設置された姿勢（図１の姿勢）を基準として上下方向７が定義され、ドア枠１０の横枠１１が延びている方向として左右方向８が定義され、上下方向７及び左右方向８に直交する方向として前後方向９が定義されている。前後方向９は、開口部５の通行方向の一例である。
【００２８】
本実施形態では、図１に示される照明付きドア構造１が説明される。照明付きドア構造１は、住宅内の廊下２と部屋３とを仕切る壁４の開口部５に設けられるドア枠１０と、ドア枠１０に支持されたドア４０と、ドア枠１０に配置される照明器具５０とを有する。本実施形態では、開口部５、ドア枠１０及びドア４０は、前後方向９に視て矩形である。
【００２９】
ドア枠１０は、左右方向８に延びる横枠１１と、上下方向７に延びる右縦枠１２及び左縦枠１３とを有する。ドア枠１０の左縦枠１３は、水平断面（上下方向に直交する平面による断面）が矩形である第１縦枠部材２０と、第１縦枠部材２０の下方に位置し水平断面が第１縦枠部材２０の水平断面と同じ形状である第２縦枠部材３０とを有する。つまり第１縦枠部材２０及び第２縦枠部材３０は、断面外形が四角形の四角柱である。第１縦枠部材２０及び第２縦枠部材３０は、図２に示されるように、ドア４０の中心面４２（前後方向９に直交する面であって、ドア４０の厚さ方向の中央に位置する面）に関して面対称の形状を有する。なお第１縦枠部材２０において右側面２１と前面２２とが交差する稜線、及び右側面２１と後面２３とが交差する稜線には、Ｃ面取りが施されている。第２縦枠部材３０において右側面３１と前面３２とが交差する稜線、及び右側面３１と後面３３とが交差する稜線には、Ｃ面取りが施されている。
【００３０】
第１縦枠部材２０の下面、及び第２縦枠部材３０の上面は、上下方向７に垂直な面である。第１縦枠部材２０は右側面２１に、後述する戸当り部材８０が嵌め込まれる溝２４を有する。第２縦枠部材３０は右側面３１に、後述する戸当り部材８０が嵌め込まれる溝３４を有する。
【００３１】
ドア４０は、ドア枠１０の内側を左右方向８に移動可能な状態で、ドア枠１０に支持される。本実施形態では、ドア４０は片引き戸である。ドア４０は、ドア枠１０の内側の左端に位置してドア４０の左端面が左縦枠１３に当接した状態で、開口部５を閉じる。そしてドア４０はドア枠１０の内側の左端から右方に移動して、ドア４０の左端面が左縦枠１３から離間した状態で、開口部５を開く。
【００３２】
図２及び図３に示されるように、本実施形態では照明器具５０は、ドア枠１０の左縦枠１３に配置される。詳しくは照明器具５０が、第１縦枠部材２０と第２縦枠部材３０との間に位置する。照明器具５０は、開口部５を閉じた状態（図１及び図２参照）のドア４０の取っ手４１の近傍に位置する。本実施形態では照明器具５０は、照明器具５０の上下方向７の中央が、取っ手４１の上下方向７の中央と同じ高さになるよう、配置される。
【００３３】
図４に示されるように、照明器具５０は、透光部材６０と有機ＥＬパネル７０とを有する。
【００３４】
透光部材６０は、光を透過する樹脂製の部材である。透光部材６０は、水平断面が片仮名のコの字形状であり、内部に有機ＥＬパネル７０を配置可能な空間を有する。透光部材６０は、水平断面のコの字の開放側が左方を向く姿勢で配置される。透光部材６０の左右方向８の大きさは、第１縦枠部材２０及び第２縦枠部材３０の左右方向８の大きさと同じである。透光部材６０の前後方向９の大きさは、第１縦枠部材２０及び第２縦枠部材３０の前後方向９の大きさと同じである。透光部材６０は、図２に示されるように、ドア４０の中心面４２に対して面対称の形状を有する。
【００３５】
透光部材６０の上面及び下面は、上下方向７に垂直な面である。透光部材６０は、透光部材６０の上面が第１縦枠部材２０の下面と接触した状態で、第１縦枠部材２０の下方に位置する。透光部材６０は、透光部材６０の下面が第２縦枠部材３０の上面と接触した状態で、第２縦枠部材３０の上方に位置する。つまり透光部材６０は、第１縦枠部材２０と第２縦枠部材３０との間に挟まれた状態で、照明付きドア構造１のドア枠１０の左縦枠１３に配置されている。透光部材６０は右方の側面に、後述する戸当り部材８０が嵌め込まれる溝６７を有する。
【００３６】
有機ＥＬパネル７０は、通電により発光面７１が発光する平板形状の電気素子である。有機ＥＬパネル７０の電源ケーブル（図示なし）は、壁４の内部で電源およびスイッチ（いずれも図示なし）に接続されている。スイッチは、壁４の廊下２の方の表面または部屋３の方の表面に配置される。住人がスイッチをＯＮすると、電源ケーブルを通って電源から有機ＥＬパネル７０に電力が供給され、有機ＥＬパネル７０の発光面が発光する。すなわち、照明器具５０が点灯する。住人がスイッチをＯＦＦすると、照明器具５０が消灯する。
【００３７】
図２及び図４に示すように、有機ＥＬパネル７０が、発光面７１が左右方向８と直交する姿勢（上下方向７及び前後方向９と平行な姿勢）にて、透光部材６０の内部の空間に位置する。そして透光部材６０が第１縦枠部材２０と第２縦枠部材３０との間に位置する。以上のようにして、照明器具５０が構成される。
【００３８】
戸当り部材８０は、水平断面がＨ形状の部材であって、上下方向７に沿って延びる姿勢で左縦枠１３の右方の側面に配置されている。戸当り部材８０は、第１縦枠部材２０の溝２４と、透光部材６０の溝６７と、第２縦枠部材３０の溝３４に嵌め込まれて、第１縦枠部材２０の表面と、透光部材６０の表面と、第２縦枠部材３０の表面とに接した状態で、ドア４０と第１縦枠部材２０、透光部材６０及び第２縦枠部材３０との間に配置される。戸当り部材８０は、開口部５を閉じた状態のドア４０と接触する。
【００３９】
以上の通り構成された照明付きドア構造１において、光源である有機ＥＬパネル７０が発光すると、有機ＥＬパネル７０が発する光が透光部材６０を透過して、透光部材６０の表面から照射される。本実施形態では図２に示されるように、透光部材６０が、廊下２の部屋３の両方に渡って位置している。詳しくは、透光部材６０における前後方向９について溝６７よりも前方の部位が、廊下２に位置している。この部位を以下、前方部位６１（第１照射部位の一例）という。透光部材６０における前後方向９について溝６７よりも後方の部位が、部屋３に位置している。この部位を以下、後方部位６４（第２照射部位の一例）という。
【００４０】
すなわち照明器具５０は、開口部５を閉じた状態のドア４０に対して廊下２の方に位置する前方部位６１と、開口部５を閉じた状態のドア４０に対して部屋３の方に位置する後方部位６４とを有する。そして有機ＥＬパネル７０が発する光が、前方部位６１から廊下２へ照射され、後方部位６４から部屋３へ照射される。
【００４１】
前方部位６１及び後方部位６４は、開口部５を閉じた状態（図１及び図２参照）のドア４０の取っ手４１の近傍に位置する。詳しくは前方部位６１及び後方部位６４の上面は、取っ手４１よりも上方に位置し、前方部位６１及び後方部位６４の下面は、取っ手４１よりも下方に位置する。
【００４２】
前方部位６１及び後方部位６４は、図２及び図３に示されるように、前後方向９に沿って並んで配置される。前方部位６１の上面と後方部位６４の上面とは上下方向７について同じ高さに位置し、いずれも上下方向７と垂直な面である。前方部位６１の下面と後方部位６４の下面とは上下方向７について同じ高さに位置し、いずれも上下方向７と垂直な面である。本実施形態では図２に示されるように、前方部位６１と後方部位６４とは、ドア４０の中心面４２に対して面対称の形状を有する。
【００４３】
本実施形態では上記の通り、透光部材６０が第１縦枠部材２０及び第２縦枠部材３０と同じ形状の水平断面を有し、第１縦枠部材２０、透光部材６０（すなわち照明器具５０）、及び第２縦枠部材３０が外観上、一繋がりの連続した部材となっている。
【００４４】
そして、透光部材６０の前方部位６１の右側面６２（第１面の一例）と、透光部材６０の後方部位６４の右側面６５（第２面の一例）と、第１縦枠部材２０の右側面２１（第３面の一例）と、第２縦枠部材３０の右側面３１（第４面の一例）とは、いずれも左右方向８に直交する面であり、上下方向７及び前後方向９に平行な面であり、互いに面一であり、連続した一つの平面を形成している。
【００４５】
透光部材６０の前方部位６１の前面６３（第５面の一例）と、第１縦枠部材２０の前面２２（第６面の一例）と、第２縦枠部材３０の前面３２（第７面の一例）とは、いずれも前後方向９に直交する面であり、上下方向７及び左右方向８に平行な面であり、互いに面一であり、連続した一つの平面を形成している。
【００４６】
詳しくは、前方部位６１の前面６３の上端と、第１縦枠部材２０の前面２２の下端とは、連続した面である。前方部位６１の前面６３の下端と、第２縦枠部材３０の前面３２の上端とは、連続した面である。
【００４７】
透光部材６０の後方部位６４の後面６６（第８面の一例）と、第１縦枠部材２０の後面２３（第９面の一例）と、第２縦枠部材３０の後面３３（第１０面の一例）とは、いずれも前後方向９に直交する面であり、上下方向７及び左右方向８に平行な面であり、互いに面一であり、連続した一つの平面を形成している。
【００４８】
詳しくは、後方部位６４の後面６６の上端と、第１縦枠部材２０の後面２３の下端とは、連続した面である。後方部位６４の後面６６の下端と、第２縦枠部材３０の後面３３の上端とは、連続した面である。
【００４９】
［実施形態の効果］
以上述べた本実施形態に係る照明付きドア構造１によれば、ドア４０の両側を一つの有機ＥＬパネル７０からの光で照らして、廊下２と部屋３との間の明るさの差を小さくすることができ、住宅の生活環境を改善することができる。またドア４０を開いた状態では、前後方向９に沿って並んで配置された前方部位６１及び後方部位６４の両方が視認されて、住人の開口部５の通過を照明器具５０が効果的に補助する。
【００５０】
また、透光部材６０が第１縦枠部材２０及び第２縦枠部材３０と同じ形状の水平断面を有することから、第１縦枠部材２０、透光部材６０（すなわち照明器具５０）、及び第２縦枠部材３０が外観上、一繋がりの連続した部材となっている。そして有機ＥＬパネル７０が発光すると、前方部位６１及び後方部位６４から光が照射され、あたかもドア枠１０の左縦枠１３の一部が発光しているような印象を与えることができる。そしてドア枠１０が開口部５の通行を阻害する突起等を有さないので、利便性及び意匠性の高い形態が照明付きドア構造１において実現されている。
【００５１】
［実施形態の変形例］
上記の実施形態では、ドア４０が所謂片引き戸である形態について説明したが、照明付きドア構造１におけるドア４０の形式を、引込み戸、引違い戸、引分け戸、両引込み戸とすることも可能である。また上記の実施形態では、ドア枠１０の左縦枠１３に照明器具５０を設ける例を説明したが、ドア４０の形式・形態に応じて、右縦枠１２に照明器具５０を配置してもよいし、右縦枠１２と左縦枠１３の両方に照明器具５０を配置してもよい。
【００５２】
［変形例１］
以下の変形例１では、図５及び図６に示されるように、照明付きドア構造１におけるドア４０が片開き戸である場合について説明する。以下では、上記の実施形態と同一の構成には同一の符号を付して説明が省略される。
【００５３】
片開き戸であるドア４０は、右縦枠１２にヒンジ（図示なし）を介して回転可能に支持されている。
【００５４】
変形例１では、戸当り部材８０は、開口部５を閉じた状態（図６参照）のドア４０の後方、すなわちドア４０に対して部屋３の方に位置する。戸当り部材８０は、水平断面が矩形の部材であって、上下方向７に沿って延びる姿勢で左縦枠１３の右方の側面に配置されている。戸当り部材８０は、第１縦枠部材２０の表面と、透光部材６０の表面と、第２縦枠部材３０の表面とに接した状態で配置される。戸当り部材８０は、開口部５を閉じた状態のドア４０と接触する。
【００５５】
変形例１に係る照明付きドア構造を住宅１００の２階に設けた例について、図７を参照しながら説明する。この例では、ホール１０１（廊下の一例）の天井に天井照明器具１１１が配置され、主寝室１０２（部屋の一例）の天井に天井照明器具１１２が配置され、第１洋室１０３（部屋の一例）の天井に天井照明器具１１３が配置され、第２洋室１０４（部屋の一例）の天井に天井照明器具１１４が配置され、トイレ１０５（部屋の一例）の天井に天井照明器具１１５が配置されている。
【００５６】
そしてホール１０１と主寝室１０２とを仕切る壁の開口部に照明付きドア構造Ａ２が配置され、ホール１０１と第１洋室１０３とを仕切る壁の開口部に照明付きドア構造Ａ３が配置され、ホール１０１と第２洋室１０４とを仕切る壁の開口部に照明付きドア構造Ａ４が配置され、ホール１０１とトイレ１０５とを仕切る壁の開口部に照明付きドア構造Ａ４が配置されている。
【００５７】
天井照明器具１１１〜１１５の明るさは、各部屋及び廊下１０１〜１０５の照度がＪＩＳ照明基準の推奨照度となるよう、設定されている。例えば、主寝室１０２の照度が２０ｌｘに、ホール１０１の照度が５０ｌｘに、トイレ１０５の照度が７５ｌｘになるよう、それぞれ設定されている。
【００５８】
そして照明付きドア構造Ａ２〜Ａ５の照明器具の明るさ、すなわち前方部位６１及び後方部位６４の明るさは、天井照明器具１１１〜１１５を消灯して照明付きドア構造Ａ２〜Ａ５の照明器具を点灯したときの各部屋及び廊下１０１〜１０５の照度が５ｌｘとなるよう、設定されている。
【００５９】
従って照明付きドア構造Ａ２〜Ａ５の照明器具は、天井照明器具１１１〜１１５よりも暗い。詳しくは、照明付きドア構造Ａ２〜Ａ５の照明器具の前方部位６１は、ホール１０１の天井照明器具の１１１よりも暗い。照明付きドア構造Ａ２〜Ａ５の照明器具の後方部位６４は、各部屋１０２〜１０４の天井照明器具１１２〜１１４よりも暗い。
【００６０】
昼間、及び夜間の就寝前は、天井照明器具１１１〜１１５が点灯される。そして夜間の就寝時は、天井照明器具１１１が消灯され、照明付きドア構造Ａ２〜Ａ５の照明器具が点灯される。
【００６１】
主寝室１０２のベッドで就寝している住人が、尿意により目を覚まし、トイレ１０５に行く例について説明する。矢印１２０は、この場合の住人の動線を示している。ベッドから起き上がった住人は、照明付きドア構造Ａ２の後方部位６４からの光で足下を確認しながら移動し、主寝室１０２とホール１０１との間のドアを開ける。そして住人は、照明付きドア構造Ａ２において水平に並んだ後方部位６４及び前方部位６１からの光に導かれて、開口部を通過する。
【００６２】
主寝室１０２からホール１０１へ出た住人は、照明付きドア構造Ａ２の前方部位６１からの光で足下を確認しながら、照明付きドア構造Ａ５の前方部位６１に向かって移動し、ホール１０１とトイレ１０５との間のドアを開ける。そして住人は、照明付きドア構造Ａ５において水平に並んだ前方部位６１及び後方部位６４からの光に導かれて開口部を通過する。
【００６３】
ホール１０１からトイレ１０５へ入った住人は、ドアを閉じ、照明付きドア構造Ａ５後方部位６４からの光を頼りに、用を足す。そして住人は、逆の順序でトイレ１０５から主寝室１０２へ移動し、主寝室１０２のベッドで就寝する。
【００６４】
［変形例１の効果］
以上述べた住人の起床、移動、用便、移動、及び就寝の過程において、主寝室１０２、ホール１０１、及びトイレ１０５の照度は、照明付きドア構造Ａ２及びＡ５の照明器具が暗いことにより、天井照明器具１１２、１１１、及び１０５を点灯した場合と比べて低くなっている。また主寝室１０２とホール１０１、及びホール１０１とトイレ１０５との間の照度の差は、照明付きドア構造Ａ２及びＡ５による均質な照明により、小さくなっている。このように照明付きドア構造は、就寝時などの夜間において、住人を過剰な明るさ及び明るさの変化に晒すことを抑制しつつ、住宅内での行動を適切にサポートすることができる。
【００６５】
［その他の変形例］
上記の実施形態・変形例では照明器具５０は、照明器具５０の上下方向７の中央が、取っ手４１の上下方向７の中央と同じ高さになるよう配置される。照明器具５０は、開口部５を閉じた状態のドア４０の取っ手４１の近傍に位置すればよい。例えば照明器具５０が、照明器具５０の少なくとも一部が、ドア４０の取っ手４１の少なくとも一部と上下方向７について同じ高さに位置するよう、配置されるとよい。例えば照明器具５０が、照明器具５０の上下方向７の中央と、取っ手４１の上下方向７の中央との距離が１００ｍｍ以下となるよう、配置されるとよい。
【００６６】
上記の実施形態・変形例では、透光部材６０の表面は滑らかな平面であったが、透光部材６０の表面に、若干の模様、凹凸、溝等が設けられてもよい。また透光部材６０の前面６３及び後面６６は平面でなくてもよく、前後方向９に膨らみや凹みを有してもよい。透光部材６０が複数に分割された部材であってもよく、特にドア４０の前方と後方とに分割された部材であってもよい。
【００６７】
上記の実施形態では、照明器具５０の透光部材６０は、全体が光を透過する樹脂で構成されており、透光部材６０の前面６３及び後面６６から光が照射される。照明器具５０の右側面から光が照射され、前面及び後面から光が照射されない形態も可能である。
【００６８】
照明器具５０と第１縦枠部材２０との間、及び照明器具５０と第２縦枠部材３０との間は、離間していてもよい。照明器具５０と第１縦枠部材２０との間、及び照明器具５０と第２縦枠部材３０との間に、他の部材（スペーサ等）が配置されてもよい。
【００６９】
照明器具５０の光源として、有機ＥＬパネル７０に替えて、ＬＥＤ素子や電球等の点光源や、蛍光灯等の線状の光源を用いることも可能である。
【００７０】
上記の実施形態・変形例では、透光部材６０の内側に有機ＥＬパネル７０が配置され、有機ＥＬパネル７０は外部に露出しない構成が採られた。照明器具５０の表面に有機ＥＬパネル７０を配置する構成、つまり照明器具５０の表面が直接発光する構成も可能である。
【００７１】
上記の実施形態では、第１縦枠部材２０、透光部材６０、及び第２縦枠部材３０は、ドア４０の中心面４２に関して面対称の形状を有したが、非対称の形状を有してもよい。
【００７２】
上記の実施形態では、有機ＥＬパネル７０が住人のスイッチ操作により点灯／消灯される例を説明した。住人に操作されるスイッチに替えて、住人の接近を感知するセンサを配置し、照明付きドア構造１への住人の接近を感知すると有機ＥＬパネル７０が点灯されるよう、照明付きドア構造１を構成してもよい。
【００７３】
また、周囲の明るさを感知するセンサを配置し、照明付きドア構造１の周囲が所定の明るさよりも暗くなると有機ＥＬパネル７０が点灯され、所定の明るさよりも明るくなると有機ＥＬパネル７０が消灯されるよう、照明付きドア構造１を構成してもよい。また、タイマーを配置し、設定した点灯時刻（例えば午後９時）になると有機ＥＬパネル７０が点灯され、設定した消灯時刻（例えば午前８時）になると有機ＥＬパネル７０が消灯されるよう、照明付きドア構造１を構成してもよい。
【００７４】
また、有機ＥＬパネル７０の電源およびスイッチを、有機ＥＬパネル７０の明るさを調節可能なように構成してもよい。照明付きドア構造１の照明器具５０の明るさは、天井照明器具の明るさよりも暗く設定されるが、有機ＥＬパネル７０の明るさを調節することにより、照明付きドア構造１の周囲の照度を住人の好みやライフスタイルに合致させて、就寝時などの夜間における住宅の住み心地を改善することができる。
【符号の説明】
【００７５】
１、Ａ２〜Ａ５・・・照明付きドア構造
２・・・廊下
３・・・部屋
４・・・壁
５・・・開口部
１０・・・ドア枠
２０・・・第１縦枠部材
２１・・・右側面（第３面の一例）
３０・・・第２縦枠部材
３１・・・右側面（第４面の一例)
４０・・・ドア
５０・・・照明器具
６１・・・前方部位（第１照射部位の一例）
６２・・・右側面（第１面の一例）
６４・・・後方部位（第２照射部位の一例）
６５・・・右側面（第２面の一例）
【図１】
2019100034.tif 000003
【図２】
2019100034.tif 000004
【図３】
2019100034.tif 000005
【図４】
2019100034.tif 000006
【図５】
2019100034.tif 000007
【図６】
2019100034.tif 000008
【図７】
2019100034.tif 000009